(57)【要約】【課題】カード型メモリー等の金属外装による不要な電波の発生を防止する、かかるメモリー等の記録手段を取り付ける手段及びこの手段を有する画像形成装置、スキャナ等のＯＡ機器、パソコン等の記録手段使用機器の提供。【解決手段】記録手段５１を基板１１に取り付けたときに記録手段５１と導通して記録手段５１を基板１１により接地する接地板１３、及び、接地板１３と、接地板１３と係合した基板１１と、基板１１と一体であり記録手段５１と係合して記録手段５１を基板１１に取り付けるための取付手段１２とを有する記録手段の取付構造１０、及び、記録手段５１を接地板１３と導通させた状態で記録手段５１を使用可能とする記録手段使用機器。【選択図】　　　図３
2004070697.tif 000002
【特許請求の範囲】
【請求項１】
基板に係合する接地板であって、記録手段を同基板に取り付けたときに同記録手段と導通して同記録手段を同基板により接地することを特徴とする接地板。
【請求項２】
請求項１記載の接地板において、基板を挟持して同基板と係合し、一体化するための挟持部を有することを特徴とする接地板。
【請求項３】
請求項１または２記載の接地板において、記録手段と弾性的に当接する板ばね部を有することを特徴とする接地板。
【請求項４】
請求項３記載の接地板において、上記板ばね部により記録手段と導通することを特徴とする接地板。
【請求項５】
請求項１ないし４の何れか１つに記載の接地板と、この接地板と係合した基板と、この基板と一体であり記録手段と係合して同記録手段を同基板に取り付けるための取付手段とを有することを特徴とする記録手段の取付構造。
【請求項６】
請求項５記載の記録手段の取付構造において、上記接地板を基板に係合した状態において同基板にはんだ付けしたことを特徴とする記録手段の取付構造。
【請求項７】
請求項６記載の記録手段の取付構造において、はんだ付けにより上記接地板と上記基板とが導通したことを特徴とする記録手段の取付構造。
【請求項８】
請求項１ないし４の何れか１つに記載の接地板または請求項５ないし７の何れか１つに記載の記録手段の取付構造を有し、記録手段を上記接地板と導通させた状態で同記録手段を使用可能とすることを特徴とする記録手段使用機器。
【発明の詳細な説明】
【０００１】
【発明の属する技術分野】
本発明は、カード型メモリー等の記録手段を複写機、ファクシミリ、プリンタ、スキャナ等のＯＡ機器、パソコン等に取り付け、使用可能とするための手段及びこの手段を有し取り付けた記録手段が使用可能となる、複写機、ファクシミリ、プリンタ、スキャナ等のＯＡ機器、パソコン等の記録手段使用機器に関する。
【０００２】
【従来の技術】
従来より、カード型メモリは、その利便性から多用されており、図８に示すように、カード型メモリ３１を複写機、ファクシミリ、プリンタ、スキャナ等のＯＡ機器、パソコン等に取り付けるための手段として、かかる複写機等に備えられたプリント回路基板（以下、「ＰＣＢ」という。）３２と、ＰＣＢ３２に固定されカード型メモリ３１を挿入されるコネクタ３３とを有するものが一般的に用いられている。
【０００３】
【発明が解決しようとする課題】
しかし、かかるカード型メモリは、その特性上、外装に金属板を用いることが多く、かかる金属外装が、電気的に浮いた状態にあるときは、アンテナのような働きをして、他の電気部品、電気機器に悪影響を及ぼす、不要な電波を発生してしまう場合がある。
【０００４】
そこで本発明は、かかる不要な電波の発生を防止する、カード型メモリー等の記録手段を取り付ける手段及びこの手段を有する、複写機、ファクシミリ、プリンタ、スキャナ等のＯＡ機器、パソコン等の記録手段使用機器を提供することを目的とする。
【０００５】
【課題を解決するための手段】
上記目的を達成するため、請求項１記載の発明は、基板に係合する接地板であって、記録手段を同基板に取り付けたときに同記録手段と導通して同記録手段を同基板により接地する接地板にある。
【０００６】
請求項２記載の発明は、請求項１記載の接地板において、基板を挟持して同基板と係合し、一体化するための挟持部を有することを特徴とする。
【０００７】
請求項３記載の発明は、請求項１または２記載の接地板において、記録手段と弾性的に当接する板ばね部を有することを特徴とする。
【０００８】
請求項４記載の発明は、請求項３記載の接地板において、上記板ばね部により記録手段と導通することを特徴とする。
【０００９】
請求項５記載の発明は、請求項１ないし４の何れか１つに記載の接地板と、この接地板と係合した基板と、この基板と一体であり記録手段と係合して同記録手段を同基板に取り付けるための取付手段とを有する記録手段の取付構造にある。
【００１０】
請求項６記載の発明は、請求項５記載の記録手段の取付構造において、上記接地板を基板に係合した状態において同基板にはんだ付けしたことを特徴とする。
【００１１】
請求項７記載の発明は、請求項６記載の記録手段の取付構造において、はんだ付けにより上記接地板と上記基板とが導通したことを特徴とする。
【００１２】
請求項８記載の発明は、請求項１ないし４の何れか１つに記載の接地板または請求項５ないし７の何れか１つに記載の記録手段の取付構造を有し、記録手段を上記接地板と導通させた状態で同記録手段を使用可能とする記録手段使用機器にある。
【００１３】
【実施例】
図１に本発明を適用した接地板とこの接地板を有する記録手段の取り付け構造とを有する記録手段使用機器としての画像形成装置の概略を示す。なお記録手段使用機器は、画像形成装置の他、スキャナ等のＯＡ機器やパソコン等を含むものであり、本発明を適用した接地板やこの接地板を有する記録手段の取り付け構造を用いることができるものであればどのようなものでも良い。
【００１４】
画像形成装置２０は、原稿画像に応じて画像を形成するものであって、原稿画像を読み取る、画像形成装置２０上部に位置する読み取り部２１と、読み取り部２１の前側に位置する操作部２２とを有しており、内部には、図示を省略する、作像ユニットとしての作像装置、作像装置に対向して配置された転写ユニットとしての転写装置、作像装置と転写装置とが対向する転写領域に向けて用紙を供給する記録媒体供給手段としての給紙カセット、給紙カセットから搬送されてきた記録媒体を作像装置による作像のタイミングにあわせて供給するレジストローラを備えた給紙ユニット、転写領域においてトナー像を転写された記録媒体を搬送する搬送ベルト、搬送ベルトによって搬送されてきた記録媒体に、記録媒体上に担持されたトナー像を定着する定着手段としての定着装置等を有している。
【００１５】
図２または図３に示すように、画像形成装置２０はまた、記録手段としてのカード型メモリ５１を装着し取り付けるための、記録手段の取付構造（以下、「取付構造」ということがある）１０を有している。カード型メモリ５１は、図示しない金属外装を有している。取付構造１０は、基盤としてのプリント回路基板（以下「ＰＣＢ」という）１１と、ＰＣＢ１１と一体でありカード型メモリ５１を挿入されて係合し、カード型メモリ５１をＰＣＢ１１に取り付けるための、ＰＣＢ１１に実装された取付手段としてのコネクタ１２と、ＰＣＢ１１と係合し、カード型メモリ５１をＰＣＢ１１に取り付けたときにカード型メモリ５１と導通してカード型メモリ５１をＰＣＢ１１により接地する接地板としてのアース板１３とを有している。
【００１６】
図２ないし図７に適宜示すように、アース板１３は、ＰＣＢ１１を挟持してＰＣＢ１１と係合し、一体化するための挟持部１４と、カード型メモリ５１をコネクタ１２に挿入し装着するとき及び装着した状態でカード型メモリ５１と弾性的に当接する板ばね部１５とを有している。板ばね部１５は、カード型メモリ５１を装着する際の操作性を高め、また振動に対する安全性を高めている。また、板ばね部１５は、カード型メモリ５１がアース板１３に装着された状態でカード型メモリ５１の金属外装と導通するようになっている。
【００１７】
ＰＣＢ１１には、アース板１３取付位置に対応して、２箇所に孔１６を有している。アース板１３は、挟持部１４に２つの突起１７を有しており、挟持部１４にてＰＣＢ１１を挟むようにしてアース板１３をＰＣＢ１１に取り付けると、突起１７がＰＣＢ１１の裏面から孔１６に係合して、ＰＣＢ１１に対するアース板１３の位置が定まるようになっている。この状態において、アース板１３は図３において符号１８にて示すようにはんだ付けされ、このはんだ付けにより、アース板１３とＰＣＢ１１と導通し、アース板１３を接地するようになっている。
【００１８】
よって、カード型メモリ５１を記録手段の取付構造１０によりＰＣＢ１１に装着すると、カード型メモリ５１の金属外装は接地され、カード型メモリ５１の外装に用いたかかる金属板がアンテナのような働きをして他の電気部品、電気機器に影響を与える不要な電波を発生することが防止される。
以上、本発明の実施例を説明したが、記録手段は、カード型メモリ５１のみならず他のメモリであっても良い。本実施例において、画像形成装置２０は複写機として説明しているが、画像形成装置は複写機の他、ファクシミリ、プリンタ等であっても良い。
【００１９】
【発明の効果】
本発明は、基板に係合する接地板であって、記録手段を同基板に取り付けたときに同記録手段と導通して同記録手段を同基板により接地する接地板にあるので、その特性上外装に金属板を用いることが多い記録手段の金属外装を接地することが可能であり、かかる金属外装がアンテナのような働きをして他の電気部品、電気機器に悪影響を及ぼす不要な電波を発生することを防止できる接地板を提供することができる。
【００２０】
基板を挟持して同基板と係合し、一体化するための挟持部を有することとすれば、容易に基板と係合し一体化できる接地板を提供することができる。
【００２１】
記録手段と弾性的に当接する板ばね部を有することとすれば、記録手段を装着する際の操作をスムーズに行うことができ、かかる操作の操作性が高く、ユーザーに使いやすいとともに、振動に対する安全性が高くユーザーの信頼性が高い接地板を提供することができる。
【００２２】
板ばね部により記録手段と導通することとすれば、弾性的に当接した板ばね部にて記録手段と導通するため、良好に導通することができるとともに、導通した状態を良好に保つことができる接地板を提供することができる。
【００２３】
本発明は、請求項１ないし４の何れか１つに記載の接地板と、この接地板と係合した基板と、この基板と一体であり記録手段と係合して同記録手段を同基板に取り付けるための取付手段とを有する記録手段の取付構造にあるので、その特性上外装に金属板を用いることが多い記録手段の金属外装を接地することが可能であり、記録手段を取り付けた状態でかかる金属外装がアンテナのような働きをして他の電気部品、電気機器に悪影響を及ぼす不要な電波を発生することを防止でき、安全性が高く、ユーザーの信頼性が高い記録手段の取付構造を提供することができる。
【００２４】
接地板を基板に係合した状態において同基板にはんだ付けしたこととすれば、基板に対する接地板の固定を容易に行うことができる記録手段の取付構造を提供することができる。
【００２５】
はんだ付けにより接地板と基板とが導通したこととすれば、基板に対する接地板の固定を行うことによって導通を達成し、簡易な構成及び簡易な作業でかかる固定及び導通を行うことができる記録手段の取付構造を提供することができる。
【００２６】
本発明は、請求項１ないし４の何れか１つに記載の接地板または請求項５ないし７の何れか１つに記載の記録手段の取付構造を有し、記録手段を上記接地板と導通させた状態で同記録手段を使用可能とする記録手段使用機器にあるので、上述の各効果を奏する接地板または記録手段の取付構造を有し、その特性上外装に金属板を用いることが多い記録手段の金属外装を接地することが可能であり、記録手段を取り付けた状態でかかる金属外装がアンテナのような働きをして、当該記録手段使用機器、及び当該機器のみならず他の電気部品、電気機器に悪影響を及ぼす不要な電波を発生することを防止できるから、安全性が高く、ユーザーの信頼性の高い記録手段使用機器を提供することができる。
【図面の簡単な説明】
【図１】本発明を適用した接地板及び記録手段の取付構造を備えた画像形成装置を示す斜視図である。
【図２】本発明を適用した接地板及び記録手段の取付構造の構成を示す斜視図である。
【図３】本発明を適用した記録手段の取付構造により記録手段を取り付けた状態を示す断面図である。
【図４】本発明を適用した接地板の正面図である。
【図５】本発明を適用した接地板の一部の背面図である。
【図６】本発明を適用した接地板の側面図である。
【図７】本発明を適用した接地板の一部拡大側断面図である。
【図８】従来の、記録手段を取り付けるための構成を示す斜視図である。
【符号の説明】
１０　　記録手段の取付構造
１１　　基板
１２　　取付手段
１３　　接地板
１４　　挟持部
１５　　板ばね部
２０　　記録手段使用機器
５１　　記録手段
【図１】
2004070697.tif 000003
【図２】
2004070697.tif 000004
【図３】
2004070697.tif 000005
【図４】
2004070697.tif 000006
【図５】
2004070697.tif 000007
【図６】
2004070697.tif 000008
【図７】
2004070697.tif 000009
【図８】
2004070697.tif 000010